(57)【要約】【課題】停電等による電圧の無印加あるいは照明器の不具合、または電圧の無印加と照明器の不具合とが共に発生した場合に非常用照明灯が点灯する非常用照明装置を提供する。【解決手段】交流電源７から電力を供給して点灯する照明器２１、２２と、該照明器２１、２２を点灯消灯するオン・オフスイッチ３１、３２と、制御部１と、バッテリー部５と、非常用照明灯４とからなる非常用照明装置であって、上記制御部１は電圧の印加の有無、照明器２１、２２の不具合の有無を検知し、電圧の無印加あるいは照明器２１、２２の不具合が発生したとき、または電圧の無印加と照明器２１、２２の不具合とが共に発生したときに非常用照明灯４を点灯させる非常用照明装置。【選択図】図１
2007250479.tif 000002
【特許請求の範囲】
【請求項１】
交流電源から電力を供給して点灯する照明器と、該照明器を点灯消灯するオン・オフスイッチと、制御部と、バッテリー部と、非常用照明灯とからなる非常用照明装置であって、上記制御部は電圧の印加の有無、照明器の不具合の有無を検知し、電圧の無印加あるいは照明器の不具合が発生したとき、または電圧の無印加と照明器の不具合とが共に発生したときに非常用照明灯を点灯させる非常用照明装置。
【請求項２】
上記バッテリー部が非常用照明灯に内蔵された請求項１に記載の非常用照明装置。
【請求項３】
上記バッテリー部が交流電源から充電可能である二次電池である請求項１に記載の非常用照明装置。
【発明の詳細な説明】
【技術分野】
【０００１】
本発明は、非常用照明装置に関する。さらに詳しくは、浴室やトイレ等に設置される非常用照明装置に関する。
【背景技術】
【０００２】
従来、停電時に電池を使用して非常用光源を点灯する装置としては各種技術が提案されており、例えば、下記特許文献１には、その図１、図２に記載されているように、停電のときのみ、非常用光源が点灯する装置が提案されている。すなわち、特許文献１の図１には、スイッチとして表示灯付きスイッチを使用し、この表示灯付きスイッチがオフの時に抵抗および表示灯を介して印加される信号電圧を利用して、単にスイッチがオフであるのか、停電であるかを判別し、停電のときのみ非常用光源が点灯するように制御するようにされた非常用照明装置が提案されている。
【特許文献１】特開平９−６３３２５号公報（第１〜３頁、第１図、第２図）
【発明の開示】
【発明が解決しようとする課題】
【０００３】
しかしながら、上記特許文献１に記載の非常用照明装置は、停電や電源線の切断時等、電圧が印加されないときのみ、電池を使用して非常用光源が点灯するように構成されている。したがって、電球の球切れ等、常時使用する照明器の不具合によりが点灯しないときは、非常用照明灯が点灯せず停電と同様の状態になり、照明器が消灯するという問題点がある。
【０００４】
本発明はこのような問題点を解決して、停電等による電圧の無印加あるいは照明器の不具合、または電圧の無印加と照明器の不具合とが共に発生した場合に非常用照明灯を点灯させることのできる非常用照明装置を提供することを、その課題とする。
【課題を解決するための手段】
【０００５】
上記課題を解決するために、本発明においては、つぎのような技術的手段を講じている。すなわち、請求項１に記載の発明によれば、交流電源から電力を供給して点灯する照明器と、該照明器を点灯消灯するオン・オフスイッチと、制御部と、バッテリー部と、非常用照明灯とからなる非常用照明装置であって、上記制御部は電圧の印加の有無、照明器の不具合の有無を検知し、電圧の無印加あるいは照明器の不具合が発生したとき、または電圧の無印加と照明器の不具合とが共に発生したときに非常用照明灯を点灯させる非常用照明装置が提供される。上記照明器の不具合としては、例えば、白熱灯の球切れ等をあげることができる。
【０００６】
請求項２に記載の非常用照明装置は、請求項１に記載の発明に加えて、上記バッテリー部が非常用照明灯に内蔵されることが好ましい。
【０００７】
請求項３に記載の非常用照明装置は、請求項１に記載の発明に加えて、上記バッテリー部が交流電源から充電可能である二次電池とすることが好ましい。二次電池としてはＮｉ−Ｃｄ電池、Ｎｉ−ＭＨ電池等をあげることができる。
【発明の効果】
【０００８】
請求項１に記載の発明にかかる非常用照明装置は上記のとおりであり、制御部が電圧の印加の有無、照明器の不具合の有無を検知し、電圧の無印加あるいは照明器の不具合が発生したとき、または電圧の無印加と照明器の不具合とが共に発生したときに非常用照明灯を点灯させるため、単に停電やブレーカーの遮断により、照明器が消灯したときのみならず、例えば、球切れ等、浴室用照明器の不具合により入浴中に突然消灯した場合でも非常用照明灯が点灯し、安全に入浴することができる。
【０００９】
請求項２に記載の非常用照明装置は上記のとおりであり、請求項１の非常用照明装置の有する効果に加え、上記バッテリー部が非常用照明灯に内蔵されるため、コンパクトとなり、デザイン性よく、浴室やトイレに設置することできる。
【００１０】
請求項３に記載の非常用照明装置は上記のとおりであり、請求項１の非常用照明装置の有する効果に加え、上記バッテリー部が交流電源から充電可能である二次電池とされ、自動充電されているため、乾電池のように放電による電池切れや液漏れの問題、電池の定期的な交換等のメンテナンスを行う必要をなくすことができる。
【発明を実施するための最良の形態】
【００１１】
以下、本発明の実施形態について図面を参照して詳細に説明する。図１は、一般家庭に設けられた本発明にかかる非常用照明装置の構成を示すブロック回路図である。図１において家庭内の交流電源７からから供給される電力はブレーカー６を経て、例えば、浴室に設けられた浴室用照明器２１とトイレに設けられたトイレ用照明器２２とに給電される。また、上記浴室用照明器２１、トイレ用照明器２２を点灯消灯するための浴室照明用オン・オフスイッチ３１およびトイレ照明用オン・オフスイッチ３２がそれぞれ壁スイッチとして入り口ドア横に設置されている。一方、バッテリー部５としての二次電池は非常用照明灯４に内蔵され、制御部１からの指令により非常の場合に点灯し、浴室やトイレを照明する。なお、上記二次電池は図示しない充電回路により常時自動充電されている。
【００１２】
すなわち、図１に示すように、制御部１は浴室照明用オン・オフスイッチ３１およびトイレ照明用オン・オフスイッチ３２より下流の配線に電圧が印加されているか否かを信号電圧によって検知するとともに、浴室用照明器２１およびトイレ用照明器２２が点灯しているか否かを公知の光センサにより検知して、所定の条件下において非常用照明灯４が点灯するように動作する。
【００１３】
制御部１は、例えば、浴室照明用オン・オフスイッチ３１の下流の配線の電圧印加状態をモニタし、浴室照明用オン・オフスイッチ３１をオンとしても電圧印加の信号電圧を受信しないときは、停電またはブレーカー遮断により電力の供給がないと判断して非常用照明灯４の点灯を指令する。また、浴室照明用オン・オフスイッチ３１をオンとし、かつ、電圧印加を確認しても、浴室用照明器２１が点灯していないことを光センサ等、光検知手段が検知したときは、制御部１は、浴室用照明器２１に球切れ等の不具合があると判断して非常用照明灯４の点灯を指令する。
【００１４】
また、浴室照明用オン・オフスイッチ３１をオンとしても浴室用照明器２１が点灯せず、電圧印加を確認しないときは、制御部１は球切れ等の不具合の有、無にかかわらず、停電またはブレーカー遮断等による電圧の無印加と、球切れとが共に発生したものと判断して非常用照明灯４の点灯を指令する。もちろん、浴室照明用オン・オフスイッチ３１がオフのときは、制御部１は電圧印加の有、無にかかわらず、あるいは、球切れの有、無にかかわらず、非常用照明灯４の点灯を指令することはない。上記した本発明の非常用照明装置の動作をまとめて図２に示す。
【００１５】
さらに、浴室照明用オン・オフスイッチ３１の物理的変位を検知することによって浴室照明用オン・オフスイッチ３１自体のオン・オフ動作を判断してもよい。上記は浴室における本発明の非常用照明装置の動作を説明したが、トイレにおける場合も同様である。また、浴室やトイレのみならず、ホテルや公共施設等の宿泊施設の廊下等に設置される照明灯にも適用可能であり、本発明の特許請求の範囲を逸脱しない限りいずれの場合も本発明の技術的範囲に含まれる。
【図面の簡単な説明】
【００１６】
【図１】本発明にかかる非常用照明装置の構成を示すブロック回路図である。
【図２】本発明にかかる非常用照明装置の動作をまとめて示す表である。
【符号の説明】
【００１７】
１          制御部
２１        浴室用照明器
２２        トイレ用照明器
３１        浴室照明用オン・オフスイッチ
３２        トイレ照明用オン・オフスイッチ
４          非常用照明灯
５          バッテリー部
６          ブレーカー
７          交流電源
【図１】
2007250479.tif 000003
【図２】
2007250479.tif 000004